【手続補正書】
【提出日】令和3年5月11日(2021.5.11)
【手続補正１】
【補正対象書類名】特許請求の範囲
【補正対象項目名】全文
【補正方法】変更
【補正の内容】
【特許請求の範囲】
【請求項１】
オブジェクト（１）、特に有価文書、ＩＤドキュメント及び製品を保護するためのセキュリティエレメントを認証する方法であって、
第１のコードエレメント（２）を少なくとも１つの第１の部分コードエレメント（２１）と１つの第２の部分コードエレメント（２２）とに分割するステップと、
前記第２の部分コードエレメント（２２）を記憶するステップと、
前記第１の部分コードエレメント（２１）及び／又は第２のコードエレメント（３）をオブジェクト（１）上及び／又はオブジェクト（１）内に配置するステップと、
前記第１の部分コードエレメント（２１）及び前記第２のコードエレメント（３）をリーダ（５）により共に機械的にキャプチャするステップと、
前記リーダによりキャプチャされたデータから前記第１の部分コードエレメント（２１）及び前記第２のコードエレメント（３）を抽出するステップと、
前記第２のコードエレメント（３）をキーとして使用して、記憶された前記第２の部分コードエレメント（２２）にアクセスするステップと、
抽出された前記第１の部分コードエレメントと記憶された前記第２の部分コードエレメントとをマージした結果生じるコードエレメント（２３）が前記第１のコードエレメント（２）と対応するか否かを確認するステップと、
を含む方法。
【請求項２】
前記第１のコードエレメント（２）は、一連の英数字、一連の数字、バーコード、特に二次元バーコード又はＱＲコード及び／又は単色又は多色画像、特にグラフィック又はトゥルーカラー画像であり、かつ／又は、
前記第２のコードエレメント（３）は、一連の英数字、一連の数字、バーコード、特に二次元バーコード又はＱＲコード及び／又は単色又は多色画像、特にグラフィック又はトゥルーカラー画像である、
ことを特徴とする請求項１に記載の方法。
【請求項３】
前記第１の部分コードエレメント（２１）及び前記第２のコードエレメント（３）は、前記オブジェクト（１）上及び／又は前記オブジェクト（１）内において互いに隣接して配置され、特に、２ｍｍ〜２０ｍｍ、好ましくは４ｍｍ〜１５ｍｍの間隔を隔てて互いに配置され、かつ／又は、
前記第１の部分コードエレメント（２１）及び前記第２のコードエレメント（３）は、横方向寸法が５０ｍｍ〜１５０ｍｍ、好ましくは６０ｍｍ〜１２０ｍｍである領域（１４）内に配置される、ことを特徴とする請求項１又は２に記載の方法。
【請求項４】
前記第１の部分コードエレメント（２１）及び／又は前記第２のコードエレメント（３）は、前記オブジェクト（１）の少なくとも１つのフィルムエレメント（１１）に導入され、かつ／又は前記オブジェクト（１）の少なくとも１つのフィルムエレメント（１１）に適用される、ことを特徴とする請求項１〜３のいずれかに記載の方法。
【請求項５】
前記少なくとも１つのフィルムエレメント（１１）は、光学活性レリーフ構造、特に回折格子、ホログラム、０次回折構造、ブレーズド格子、マクロ構造、特にレンズ構造又はマイクロプリズム構造、ミラー表面、マット構造、特に異方性又は等方性マット構造、体積ホログラム、色変化効果を有する薄膜構造、液晶材料、発光顔料、サーモクロミック顔料及び／又は光学可変顔料を個別に又は組み合わせて含む一つ又は複数の層（１１１）を有し、かつ／又は、
前記少なくとも１つのフィルムエレメント（１１）は、ホットスタンピングフィルム又はコールドスタンピングフィルム、積層フィルム又はセキュリティスレッドの転写プライから形成される、ことを特徴とする請求項４に記載の方法。
【請求項６】
前記第１の部分コードエレメント（２１）及び／又は前記第２のコードエレメント（３）は、光学特性を変化させるように、特に、所定の領域において前記フィルムエレメントの一つ又は複数の層を穿孔しかつ／又は当該層を励起するレーザにより前記フィルムエレメント（１１）に導入され、かつ／または、
前記第１の部分コードエレメント（２１）及び／又は前記第２のコードエレメント（３）は、デジタル印刷プロセス、特にインクジェット印刷又は熱転写印刷により、特に前記フィルムエレメント（１１）を前記オブジェクト（１）に適用する前に一つ又は複数の個別化された層を刷り重ねることにより、前記フィルムエレメント（１１）に導入され、かつ／または、
前記第１の部分コードエレメント（２１）及び／又は前記第２のコードエレメント（３）は、デジタル印刷プロセス、特にインクジェット印刷又は熱転写印刷により、特に前記フィルムエレメント（１１）を前記オブジェクト（１）に適用した後に一つ又は複数の個別化された層を刷り重ねることにより、前記少なくとも１つのフィルムエレメント（１１）に適用され、かつ／または、
前記第１の部分コードエレメント（２１）及び／又は前記第２のコードエレメント（３）は、前記フィルムエレメントを転写フィルムから個別に打ち抜くことによって、特に、転写プライを前記オブジェクトに転写する前に転写フィルム上に個別化された接着剤層を刷り重ねることによって、前記少なくとも１つのフィルムエレメント（１１）に導入される、ことを特徴とする請求項４又は５に記載の方法。
【請求項７】
前記第１の部分コードエレメント（２１）及び前記第２のコードエレメント（３）は、前記リーダ（５）によって共に光学的にキャプチャされ、好ましくは、カメラによって光学的にキャプチャされる、ことを特徴とする請求項１〜６のいずれかに記載の方法。
【請求項８】
前記第１のコードエレメント（２）のチェックサムが確定され、前記チェックサムが前記第２の部分コードエレメント（２２）のため又は前記第２の部分コードエレメントの一部として記憶され、特に、
前記抽出された第１の部分コードエレメント（２１）と、前記記憶された第２の部分コードエレメント（２２）とのマージにより得られた前記コードエレメント（２３）が前記第１のコードエレメント（２）に対応するか否かを確認する間、前記マージから得られた前記コードエレメント（２３）のチェックサムが確認され、このチェックサムが、前記第２の部分コードエレメント（２２）のため又は前記第２の部分コードエレメントの一部として記憶された前記第１のコードエレメント（２）のチェックサムと比較される、ことを特徴とする請求項１〜７のいずれかに記載の方法。
【請求項９】
特に、前記第１のコードエレメント（２１）が全単射の第１のコード（２０）を含むか又はこれを形成するように、前記第１のコードエレメント（２１）を生成するステップをさらに含む、ことを特徴とする請求項１〜８のいずれかに記載の方法。
【請求項１０】
前記第１のコードエレメント（２）を分割するステップは、
任意選択でテンプレート（２００）を生成及び／又は選択するステップと、
任意選択で前記テンプレート（２００）の基準点（２０１）を決定するステップと、
任意選択で前記第１のコードエレメント（２）の基準点（２０２）を決定するステップと、
特に前記第１のコードエレメント（２）の前記基準点（２０２）及び／又は前記テンプレート（２００）の前記基準点（２０１）に基づいて、前記テンプレート（２００）を前記第１のコードエレメント（２）に適用することによって、前記第１のコードエレメント（２）を前記少なくとも１つの第１の部分コードエレメント（２１）及び前記第２の部分コードエレメント（２２）に分割するステップと、
を含む、ことを特徴とする請求項１〜９のいずれかに記載の方法。
【請求項１１】
前記テンプレート（２００）は、ランダム又は擬似ランダムに生成され、かつ／又は、所定のテンプレートのセットからランダム又は擬似ランダムに選択され、かつ／又は、
前記テンプレート（２００）は、前記第１のコードエレメント（２）の前記基準点（２０２）及び前記テンプレート（２００）の前記基準点（２０１）を覆うように、前記第１のコードエレメント（２）と重ね合わされ、かつ／又は、
前記テンプレート（２００）は、好ましくは位置に応じて一つ又は複数のフィルタ基準を規定する光学フィルタ特徴部から形成される、ことを特徴とする請求項１０に記載の方法。
【請求項１２】
前記テンプレート（２００）が前記第１のコードエレメント（２）に適用されるとき、前記テンプレート（２００）のフィルタ特徴部が前記第１のコードエレメント（２）に重ね合わされ、前記第１のコードエレメント（２）の分割のため、位置に応じて又は位置と無関係に、前記テンプレート（２００）の一つ又は複数のフィルタ基準によって決定される前記第１のコードエレメント（２）のスペクトルの第１の部分が前記第１の部分コードエレメント（２１）に割り当てられ、残りの部分が前記第２の部分コードエレメント（２２）に割り当てられ、かつ／又は、
前記テンプレート（２００）が前記第１のコードエレメント（２）に適用されるとき、前記テンプレート（２００）のフィルタ特徴部が前記第１のコードエレメント（２）に重ね合わされ、前記第１のコードエレメント（２）の分割のために、位置に応じて、前記第１のコードエレメント（２）の画像点が、前記テンプレート（２００）の一つ又は複数のフィルタ基準が満たされるか否かに応じて、前記第１の部分コードエレメント（２１）又は前記第２の部分コードエレメント（２２）に割り当てられ、かつ／又は、
前記テンプレート（２００）が前記第１のコードエレメント（２）と重ね合わされ、前記第１のコードエレメント（２）の分割のため、前記テンプレート（２００）及び前記第１のコードエレメントが重ね合わされた前記第１のコードエレメント（２）の部分領域が前記第１の部分コードエレメント（２１）に割り当てられ、前記テンプレート（２００）及び前記第２のコードエレメント（３）が重ね合わされた前記第１のコードエレメント（２）の部分領域が前記第２の部分コードエレメント（２２）に割り当てられるか、又は
前記テンプレート（２００）及び前記第１のコードエレメントが重ね合わされた前記第１のコードエレメント（２）の部分領域が前記第２の部分コードエレメント（２２）に割り当てられ、前記テンプレート（２００）及び前記第２のコードエレメント（３）が重ね合わされた前記第１のコードエレメント（２）の部分領域が前記第１の部分コードエレメント（２１）に割り当てられる、ことを特徴とする請求項１０又は１１に記載の方法。
【請求項１３】
前記テンプレート（２００）は、前記第１のコードエレメント（２）の全単射が存在しないように、前記第１のコードエレメント（２）に重ね合わせられ、かつ／又は、
前記抽出された第１の部分コードエレメント（２１）と前記記憶された第２の部分コードエレメント（２２）とのマージは、前記抽出された第１の部分コードエレメント（２１）と前記記憶された第２の部分コードエレメント（２２）との重ね合わせによって、特に、前記テンプレート（２００）の前記基準点（２０１）及び／又は前記第１のコードエレメント（２）の前記基準点（２０２）に基づいて実行され、かつ／又は、
マージに対応する画像データセットからバーコード及び／又はテキスト認識を実行することによって確認を行うため、対応する一連の英数字が決定され、第１のコード（２０）と比較され、第１のコードエレメント（２）及び／又はそのチェックサムが、前記第１のコード（２０）又は前記第１のコードエレメント（２）のチェックサムと比較され、かつ／又は、
マージに対応する画像データセットから画像認識を実行することにより確認を行うため、一つ又は複数の特性値が決定され、当該特性値が前記第１のコードエレメント（２）を指定する特性値と比較され、かつ／又は、
画像比較を実行することにより確認を行うため、マージに対応する画像データセットが、前記第１のコードエレメント（２）に対応する前記画像データセットと比較される、ことを特徴とする請求項１０〜１２のいずれかに記載の方法。
【請求項１４】
前記方法は、
特に、前記第２のコードエレメント（３）が前記第１のコードエレメント（２）及び／又は全単射の第２のコード（３１１）に割り当てられたキーを形成するように、前記第２のコードエレメント（３）を生成するステップを含み、かつ／又は、
全単射の第２のコード（３１１）を生成し、当該第２のコード（３１１）から前記第２のコードエレメント（２）を生成するステップを含み、かつ／又は、
前記第２のコードエレメント（２）、第２のコード（３１１）及び／又は前記第２のコードエレメント（２）に割り当てられたキーを記憶するステップを含む、ことを特徴とする請求項１〜１３のいずれかに記載の方法。
【請求項１５】
前記第２の部分コードエレメント（２２）、任意選択で前記第１のコードエレメント（２）の基準点（２０２）、任意選択でテンプレート（２００）の基準点（２０１）並びに前記第２のコードエレメント（３）、第２のコード（３１１）及び／又は前記第２のコードエレメント（３）に割り当てられたキーがデータベース（６３）に記憶され、
前記データベース（６３）における前記第２の部分コードエレメント（２２）、任意選択で前記第２のコードエレメント（２）の前記基準点（２０２）、任意選択で前記テンプレート（２００）の前記基準点（２０１）が、前記第２のコードエレメント（３）、前記第２のコード（３１１）及び／又は前記第２のコードエレメントに割り当てられたキーに割り当てられ、かつ／又は、
前記第２の部分コードエレメント（２２）、前記第２のコードエレメント（２）の基準点（２０２）、前記テンプレート（２００）の基準点（２０１）、前記第２のコードエレメント（３）、前記第２のコードエレメント（３１１）及び／又は前記第２のコードエレメント（３）に割り当てられたキーは、共通のデータセットに記憶される、ことを特徴とする請求項１〜１４のいずれかに記載の方法。
【請求項１６】
一連の英数字の形態で第１のコード（２０）が生成され、
前記第１のコード（２０）をバーコード、特にＱＲコードに変換することによって、前記第１のコードエレメント（２）が生成され、
前記第１のコードエレメント（２）を形成するバーコードがテンプレート（２００）によって分割され、前記第１の部分コードエレメント（２１）を含む画像データセットが生成され、
マージに対応する画像データセットにバーコード認識が適用され、
確認の間、前記バーコード認識から生じる一連の文字が、前記第１のコードの一連の英数字に対応するか否かについて比較され、かつ／又は、
グラフィック又はトゥルーカラー画像を含む画像データセットが前記第１のコードエレメント（２）として生成され、
前記第１の部分コードエレメント（２１）を形成する前記グラフィック又はトゥルーカラー画像がテンプレート（２０）により分割され、前記第１の部分コードエレメント（２１）を含む画像データセットが生成され、
画像比較の実行による確認の間、マージに対応する画像データセットが前記第１のコードエレメント（２）に対応する画像データセットと比較される、ことを特徴とする請求項１〜１５のいずれかに記載の方法。
【請求項１７】
オブジェクト（１）を認証するための、特に請求項１〜１６のいずれかに記載の方法を実行するためのサーバ（６）であって、
前記サーバは、
第１のコードエレメント（２）を少なくとも１つの第１の部分コードエレメント（２１）と１つの第２の部分コードエレメント（２２）とに分割し、
前記第２の部分コードエレメント（２２）及び前記第２の部分コードエレメントへのアクセスに寄与する第２のコードエレメント（２）又は割り当てられた第２のコード（２０）を内部又は外部のデータベース（６３）に記憶し、
前記第１の部分コードエレメント（２１）及び／又は前記第２のコードエレメント（３）を前記オブジェクト（１）上に配置するため、前記第１の部分コードエレメント（２１）及び／又は前記第２のコードエレメント（３）を個別化装置（７）に送信する、
ように設計される、ことを特徴とするサーバ（６）。
【請求項１８】
オブジェクト（１）を認証するための、特に請求項１〜１６のいずれかに記載の方法を実施するためのサーバ（６）あって、
前記サーバは、
第１の部分コードエレメント（２１）及び第２のコードエレメント（３）の共同の機械的なキャプチャを含むデータをリーダ（５）から受け、
前記リーダによりキャプチャされたデータから前記第１の部分コードエレメント（２１）及び前記第２のコードエレメント（３）を抽出し、
前記第２のコードエレメント（３）をキーとして用いて記録された第２の部分コードエレメント（２２）にアクセスし、
抽出された前記第１の部分コードエレメント（２１）及び記憶された前記第２の部分コードエレメント（２２）のマージにより得られるコードエレメント（２３）が第１のコードエレメント（２）に対応するか否を確認する、
ように設計され、特に、
前記サーバ（６）は、さらに、確認の結果を含むメッセージ（９２）を前記リーダ（５）に送信するように設計される、ことを特徴とするサーバ（６）。
【請求項１９】
オブジェクト（１）を個別化するための、特に請求項１〜１６のいずれかに記載の方法を実施するための個別化装置（７）であって、
前記個別化装置（７）は、少なくとも１つの第１の部分コードエレメント（２１）及び／又は１つの第２のコードエレメント（３）を前記オブジェクト（１）内及び／又は前記オブジェクト（１）上に配置するように設計され、
第１のコードエレメント（２）を前記少なくとも１つの第１の部分コードエレメント（２１）と、１つの第２の部分コードエレメント（２２）とに分割することによって前記第１の部分コードエレメント（２１）が形成され、データベース（６３）に記憶される、ことを特徴とする個別化装置（７）。
【請求項２０】
前記個別化装置（７）は、
第１のコード（２０）又は第１のコードエレメントを生成して、サーバ（６）へ送信し、前記第１のコード（２０）から前記第１のコードエレメント（２）を生成し、及び／又は前記第１のコードエレメント（２）を少なくとも１つの第１の部分コードエレメント（２１）と１つの第２の部分コードエレメント（２２）とに分割し、前記第２の部分コードエレメント（２２）及び前記第２の部分コードエレメント（２２）へのアクセスに寄与する前記第２のコードエレメント（３）又は割り当てられた第２のコード（３０）を内部又は外部の前記データベース（６３）に記憶し、前記第１の部分コードエレメント（２１）及び／又は前記第２のコードエレメント（３）を前記オブジェクト（１）上に配置するために前記サーバ（６）から受信する、ように設計されるか、又は、
前記個別化装置（７）は、前記第１のコードエレメント（２）を前記少なくとも１つの第１の部分コードエレメント（２１）と前記第２の部分コードエレメント（２２）とに分割し、前記第２の部分コードエレメント（２２）及び前記第２の部分コードエレメント（２２）へのアクセスに寄与する前記第２のコードエレメント（３）又は割り当てられた第２のコード（３０）を内部又は外部の前記データベース（６３）に記憶するように、設計される、ことを特徴とする請求項１９に記載の個別化装置（７）。
【請求項２１】
オブジェクト（１）を認証するための、特に請求項１〜１６のいずれかに記載の方法を実行するためのリーダ（５）であって、
前記リーダ（５）は、少なくとも１つの第１の部分コードエレメント（２１）及び１つの第２のコードエレメント（３）を共に機械的にキャプチャするように設計され、
前記少なくとも１つの第１の部分コードエレメント（２１）は、第１のコードエレメント（２）を前記第１の部分コードエレメント（２１）と１つの第２の部分コードエレメント（２２）とに分割することにより形成され、データベース（６３）に記憶される、ことを特徴とするリーダ（５）。
【請求項２２】
前記リーダ（５）は、
前記リーダ（５）による前記第１の部分コードエレメント（２１）及び前記第２のコードエレメント（３）の機械的なキャプチャを含むデータをサーバ（６）に送信し、前記リーダ（５）によってキャプチャされたデータから前記第１の部分コードエレメント（２１）及び前記第２のコードエレメント（２２）が前記サーバにより抽出され、
前記第２のコードエレメント（３）をキーとして使用して、記憶された前記第２の部分コードエレメント（２２）にアクセスし、
抽出された前記第１の部分コードエレメント（２１）と、前記記憶された第２の部分コードエレメント（２２）とをマージした結果生じるコードエレメント（２３）が前記第１のコードエレメント（２）に対応することを確認する、ように設計されるか、又は、
前記リーダ（５）は、
前記リーダ（５）によってキャプチャされたデータから前記第１の部分コードエレメント（２１）及び前記第２のコードエレメント（３）を抽出し、
前記第２のコードエレメント（３）をキーとして、記憶された前記第２の部分コードエレメント（２２）にアクセスし、
抽出された前記第１の部分コードエレメント（２１）と前記記憶された第２の部分コードエレメント（２２）とをマージした結果得られるコードエレメント（２３）が前記第１のコードエレメント（２）に対応するか否かを確認する、ように設計される、ことを特徴とする請求項２１に記載のリーダ（５）。
【請求項２３】
有価文書、ＩＤドキュメント及び製品を保護するためのセキュリティエレメント、特に請求項１〜１６のいずれかに記載の方法において使用するためのセキュリティエレメントであって、
前記セキュリティエレメント（１）は、少なくとも１つの第１の部分コードエレメント（２１）及び／又は１つの第２のコードエレメント（３）を有し、
前記少なくとも１つの第１の部分コードエレメント（２１）は、第１のコードエレメント（２）を前記第１の部分コードエレメント（２１）と１つの第２の部分コードエレメント（２２）とに分割することによって形成されて、データベース（６３）に記憶され、
リーダ（５）による前記第１の部分コードエレメント（２１）及び前記第２のコードエレメント（３）の共同の機械的なキャプチャ及び前記リーダ（５）がキャプチャしたデータからの前記第１の部分コードエレメント（２１）及び前記第２のコードエレメント（３）の抽出により、抽出された前記第１の部分コードエレメント（２１）と記憶された前記第２の部分コードエレメント（２２）とをマージした結果得られるコードエレメント（２３）が前記第１のコードエレメント（２）に対応するか否かを確認できるように、前記第１の部分コードエレメント（２１）及び／又は前記第２のコードエレメント（３）が前記セキュリティエレメント（１）内及び／又は前記セキュリティエレメント（１）上に配置される、ことを特徴とするセキュリティエレメント。
【請求項２４】
請求項２３に記載のセキュリティエレメント（１）を有する、特に紙幣、ＩＤドキュメント又は有価文書であるセキュリティドキュメント（１００）。
【手続補正２】
【補正対象書類名】明細書
【補正対象項目名】０１１７
【補正方法】変更
【補正の内容】
【０１１７】
さらに、第１の部分コードエレメント２１及び第２のコードエレメント３の配置は、リーダ５により共に機械的にキャプチャされる。次に、第１の部分コードエレメント２１及び第２のコードエレメント３は、リーダ５によりキャプチャされたデータから抽出される。次に、第２のコードエレメント３をキーとして、記憶された第２の部分コードエレメント２２へのアクセスが行われる。次いで、抽出された第１の部分コードエレメント２１及び記憶された第２の部分コードエレメント２２をマージした結果得られるコードエレメントが第１のコードエレメント２に対応しているか否かの確認が行われる。
【手続補正３】
【補正対象書類名】明細書
【補正対象項目名】０１５１
【補正方法】変更
【補正の内容】
【０１５１】
次に、第１の部分コードエレメント２１及びコードエレメント３は、サーバ６によって個別化装置７に送信される。また、第１の部分コードエレメント２１及びコードエレメント３を、図５ｈに示すように共通の画像データセットとして個別化装置７に送信してもよい。第１の部分コードエレメント２１及び第２のコードエレメント３は、図５ｉに示すように、個別化装置７によってセキュリティエレメント又はオブジェクト１に適用又は導入される。
【手続補正４】
【補正対象書類名】明細書
【補正対象項目名】０１６８
【補正方法】変更
【補正の内容】
【０１６８】
図８ｂ及び図９ｂは、このように形成された第１の部分コードエレメント２１及び第２のコードエレメント３のオブジェクト１上の配置を示している。図８ｃ及び図９ｃは、コードエレメント２３を形成するための第１の部分コードエレメント２１及び第２の部分コードエレメント２２のマージを示している。